(57)【要約】      （修正有）【課題】シャント法以外の発声方法を用いている喉頭摘出者の生活の質の向上を図ることができる咽頭摘出者向けＱＯＬ向上用装着器具を提供する。【解決手段】ＱＯＬ向上用装着器具１のベースは、ウレタン層２、同層２の裏面２ＲＳの全体上に接合された合成樹脂層３、同層２の表面２ＵＳの中央部上に突設された突出部４、及び合成樹脂層３の露出面３ＥＳに着脱自在に貼付された皮膚用両面テープ５より成る。細菌等の気管孔への流入等を防止するフィルタ機能を奏するスポンジ６は、蓋部７の中空空間内に挿入される。蓋部７の側面部は突出部４の貫通孔４Ｈ内に挿入され、蓋部７の側面部の凸部７ＰＰが突出部４の溝状の凹部４ＲＰ内に嵌合されることで、蓋部７は突出部４に係止・支持される。蓋部７の上面部７ＵＰはスポンジ６の外界への飛び出しを防止する。スポンジ６は、汚れの程度に応じて、蓋部７の貫通孔７ＨＡより自在に取り出されて洗浄され、洗浄後に貫通孔７ＨＡを通じて蓋部７の中空空間内に挿入・戻される。【選択図】図１
0003198913.tif 000002
【実用新案登録請求の範囲】
【請求項１】
中央部に第１貫通孔を有する、シート状のウレタン層と、
前記ウレタン層の裏面全体上に配設され、前記第１貫通孔と同心の第２貫通孔を有する合成樹脂層と、
前記ウレタン層の前記裏面に対向する表面上に突設され、前記第１貫通孔と同心の第３貫通孔を有する突出部と
を備えることを特徴とする、喉頭摘出者向けＱＯＬ向上用装着器具。
【請求項２】
請求項１に記載の喉頭摘出者向けＱＯＬ向上用装着器具であって、
中央部に前記第１貫通孔と同心の第４貫通孔を有すると共に、前記合成樹脂層の前記ウレタン層との界面に対向する露出面に貼付可能な皮膚用両面テープを
更に備えることを特徴とする、喉頭摘出者向けＱＯＬ向上用装着器具。
【請求項３】
請求項２に記載の喉頭摘出者向けＱＯＬ向上用装着器具であって、
前記皮膚用両面テープは、
前記皮膚用両面テープを貫通する開口部を備える
ことを特徴とする、喉頭摘出者向けＱＯＬ向上用装着器具。
【請求項４】
請求項３に記載の喉頭摘出者向けＱＯＬ向上用装着器具であって、
前記突出部の第３貫通孔内に挿入されて前記第３貫通孔内で固設される側面部と、前記側面部に繋がった底部側部分と、前記底部側部分に配設された少なくとも一つの通気孔と、前記側面部に繋がっており且つ前記底部側部分に対向する上面部と、前記上面部に配設されており且つ前記第１貫通孔と同心の貫通孔と、前記側面部、前記底部側部分及び前記上面部により形成されると共に前記第１貫通孔と同心の中空空間とを有する蓋部と、
前記蓋部の前記中空空間内に挿入され且つ前記蓋部の前記貫通孔の径よりも大きな径を有するスポンジと、
を更に備えることを特徴とする、喉頭摘出者向けＱＯＬ向上用装着器具。
【請求項５】
請求項３に記載の喉頭摘出者向けＱＯＬ向上用装着器具であって、
折れ曲がった中空のパイプ部を更に備え、
前記パイプ部の中空間は、
前記パイプ部が前記突出部の前記第３貫通孔内に挿入されて前記突出部に装着可能となる内径を有する
ことを特徴とする、喉頭摘出者向けＱＯＬ向上用装着器具。
【考案の詳細な説明】
【技術分野】
【０００１】
この考案は、喉頭摘出者向けのＱＯＬ（Quality of Life）向上用装着器具の構造に関する。
【背景技術】
【０００２】
喉頭摘出者がコミュニケーションを取るための発声方法としては、現在のところ、主として、電動式人口喉頭、食道発声法、及び、気管食道シャント法が存在する。
【０００３】
これらの方法の内で、気管食道シャント法に関しては、当該方法を実現するためのシャント用器具が製造・販売されている（例えば、特許文献１を参照。）。上記シャント用器具を用いた気管食道シャント法によりコミュニケーションを取っている喉頭摘出者に関しては、その者の気管孔は、日々の生活に於いて、外気又は粉塵等に対して適切に保護されている。
【先行技術文献】
【特許文献】
【０００４】
【特許文献１】特表２０１４−５１６７２０号公報
【考案の概要】
【考案が解決しようとする課題】
【０００５】
しかしながら、上記シャント用器具の維持管理費用が他の発声方法と比較して相対的に高くなるため、多くの喉頭摘出者は、電動式人口喉頭又は食道発声法等のその他の発声法を用いてコミュニケーションを取りつつ日々の生活を送っているのが現状である。
【０００６】
その様な気管食道シャント法以外の発声方法を用いて日々の生活を送っている喉頭摘出者の気管孔は、直接に外気に露出しているので、ダスト、粉塵、熱気、冷気、湿気、乾燥した空気、水分、及びウィルス又は細菌等の病原菌等の、健康上の問題点をもたらす様々な要因に対して、適切に保護される必要性が高い。そこで、上記のその他の発声方法を用いている喉頭摘出者は、通常、自己の気管孔を保護するために、シャワーシールド、プロテクター、又はスカーフタイプ等の種々の前掛けを着衣している。
【０００７】
ところが、その様な前掛けを着衣しているために、上記喉頭摘出者は、却って、不便な日常生活を強いられている。例えば、典型的には、上記喉頭摘出者は、濡れた前掛けを通じて、或いは、前掛けと身体との隙間を通じて、水分が気管孔内に侵入しない様に、水分に対して防護する観点から、シャワーを用いて十分に体を洗い、或いは、シャワーを用いて洗髪することが出来ない。若し、上記喉頭摘出者であっても、シャワーを用いて洗髪等をすることが出来れば、上記喉頭摘出者は普通の人々と同じ様なライフスタイルを実践することが出来て、精神的にリラックスして癒されるという利点が、得られる。
【０００８】
（考案の目的）
この考案は、以上の問題点に鑑みて成されたものであり、その主目的は、気管食道シャント法以外の発声方法を用いて日々の生活を過ごしている喉頭摘出者に対して、その者の気管孔を常に適切に保護可能として、例えば、シャワーを用いて十分に体を洗って洗髪することを可能とする等、その者のＱＯＬを改善・向上し得る装着器具を提案する点にある。
【課題を解決するための手段】
【０００９】
本考案の主題に係る喉頭摘出者向けＱＯＬ向上用装着器具は、中央部に第１貫通孔を有する、シート状のウレタン層と、前記ウレタン層の裏面全体上に配設され、前記第１貫通孔と同心の第２貫通孔を有する合成樹脂層と、前記ウレタン層の前記裏面に対向する表面上に突設され、前記第１貫通孔と同心の第３貫通孔を有する突出部とを、備えることを特徴とする。
【００１０】
しかも、本考案の主題に係る喉頭摘出者向けＱＯＬ向上用装着器具は、中央部に前記第１貫通孔と同心の第４貫通孔を有すると共に、前記合成樹脂層の前記ウレタン層との界面に対向する露出面に貼付可能な皮膚用両面テープを更に備えることを特徴とする。
【００１１】
その上で、本考案の主題に係る喉頭摘出者向けＱＯＬ向上用装着器具は、ア）前記突出部の第３貫通孔内に挿入されて前記第３貫通孔内で固設される側面部と、前記側面部に繋がった底部側部分と、前記底部側部分に配設された少なくとも一つの通気孔と、前記側面部に繋がっており且つ前記底部側部分に対向する上面部と、前記上面部に配設されており且つ前記第１貫通孔と同心の貫通孔と、前記側面部、前記底部側部分及び前記上面部により形成されると共に前記第１貫通孔と同心の中空空間とを有する蓋部と、イ）前記蓋部の前記中空空間内に挿入され且つ前記蓋部の前記貫通孔の径よりも大きな径を有するスポンジと、を更に備えることを特徴とする。
【考案の効果】
【００１２】
本考案の主題によれば、喉頭摘出者向けＱＯＬ向上用装着器具のベースは、１）シート状のウレタン層と、２）ＰＥＴ等の合成樹脂層と、３）皮膚用両面テープとより成るシート状の多層構造を有するので、喉頭摘出者の気管孔周辺の凹凸の皮膚に密着し易い機能を呈する。その結果、本考案の主題に係る上記ＱＯＬ向上用装着器具は、気管孔を通じた日々の呼吸により生じる痰等の物質による汚れに対しても、気管孔周辺部の皮膚から剥がれにくい耐性を呈することとなり、気管孔保護器具として、長期に亘っての使用を可能とする。しかも、痰等の物質によって上記ＱＯＬ向上用装着器具が汚れる結果、当該装着器具が気管孔周辺部の皮膚から剥がれ易くなったときでも、当該装着器具の皮膚用両面テープのみを交換するだけで、当該装着器具を清潔に保って気管孔保護器具として継続使用することが出来、その点で、ＱＯＬ向上用装着器具の維持コストの低減化を図ることが出来る。
【００１３】
又、本考案の主題に於けるスポンジは、外部からの細菌又はウィルス等の身体にとって好ましくない異物の侵入を防止し、或いは、乾燥した又は湿った空気或いは高温の又は冷たい空気の緩衝部分として働く、フィルタ機能を奏する。このスポンジが、喉頭摘出者が咳き込むことで生じる圧力によって外へ押し出されようとしても、蓋部がそのスポンジの動きを防止する。しかも、蓋部の上面部側の貫通孔を通じて、喉頭摘出者は、適宜にスポンジを取り出して、痰等が詰まって汚れたスポンジを水洗いした上で、水洗い後のスポンジを蓋部の上記貫通孔を通じて蓋部の中空空間内に挿入し、以って、当該スポンジを簡単に当該中空空間内に、従って、第３貫通孔内に、戻すことが出来る。そのため、喉頭摘出者は、上記フィルタ機能を呈するスポンジを容易に再利用・継続使用することが出来、その結果、ＱＯＬ向上用装着器具の維持コストのより一層の低減化を図ることが出来る。
【００１４】
ＱＯＬ向上用装着器具の維持・管理コストの低減化は、気管食道シャント法以外の発声方法を用いて日々の生活を過ごしている喉頭摘出者による、当該ＱＯＬ向上用装着器具の実用を促進するものである。
【００１５】
そして、上記の喉頭摘出者は、本考案の主題に係るＱＯＬ向上用装着器具の蓋部の上面側の貫通孔を指で塞ぐことで、外部から水分が気管孔内に侵入するのを防止することが出来るので、斯かる指の動作を適宜行うことで、容易にシャワーを浴びて身体を洗い且つ洗髪することが出来る。その結果、本考案の主題に係るＱＯＬ向上用装着器具は、上記の喉頭摘出者の日々の生活の質（ＱＯＬ）の各段の向上化を達成することが出来る。
【００１６】
以下、本考案の様々な具体化を、添付図面を基に、その効果・利点と共に、詳述する。
【図面の簡単な説明】
【００１７】
【図１】本考案の実施の形態１に係る喉頭摘出者向けＱＯＬ向上用装着器具の構成を模式的に示す縦断面図である。
【図２】図１の喉頭摘出者向けＱＯＬ向上用装着器具に適用される皮膚用両面テープの構成を模式的に示す横断面図である。
【図３】図１の喉頭摘出者向けＱＯＬ向上用装着器具の構成を模式的に示す分解斜視図である。
【図４】図１の喉頭摘出者向けＱＯＬ向上用装着器具に適用される中空のパイプ部の構成を模式的に示す斜視図である。
【考案を実施するための形態】
【００１８】
（実施の形態１）
＜喉頭摘出者向けＱＯＬ向上用装着器具の構造＞
【００１９】
図１は、本実施の形態に係る喉頭摘出者向けＱＯＬ向上用装着器具１の構成を模式的に示す縦断面図である。又、図２は、図１の喉頭摘出者向けＱＯＬ向上用装着器具１に適用される皮膚用両面テープの構成を模式的に示す横断面図である。更に、図３は、喉頭摘出者向けＱＯＬ向上用装着器具１の分解後の構成を模式的に示す斜視図である。尚、図示の便宜上、図３に於いて、第３貫通孔４Ｈを通じて斜視され得る、溝状の凹部４ＲＰの下部に位置する各層２，３，５の図示化は割愛されている。
【００２０】
喉頭摘出者向けＱＯＬ向上用装着器具１のベースの本体部は、１）シート状のウレタン層２と、２）ＰＥＴ（ポリエチレンテレフタラート）等の素材より成る合成樹脂層３と、３）ウレタン層２の表面２ＵＳの中央部上に突設された突出部４とより成る。ここで、突出部４は、例えば合成樹脂等の比較的に柔らかい素材よりなる。そして、喉頭摘出者向けＱＯＬ向上用装着器具１の使用時に、４）皮膚用両面テープ５が、合成樹脂層３の裏面側の露出面３ＥＳの全面に貼付される。これにより、使用可能な喉頭摘出者向けＱＯＬ向上用装着器具１のベースが実現される。以下、上記のＱＯＬ向上用装着器具１のベースの構造・機能を、上記の図面を参照しつつ、詳述する。
【００２１】
Ａ）  シート状のウレタン層２は、ｉ）その中央部に、同層２を貫通する第１貫通孔２Ｈを有する、ｉｉ）横断面形状が略円形の、ｉｉｉ）比較的に柔らかいウレタン素材より成る薄層である。尚、ウレタン層２の横断面形状は任意であるし、第１貫通孔２Ｈの横断面形状も任意である。ここでは、ウレタン層２の厚みＴ１は例えば０．５ｍｍである。本例では、第１貫通孔２Ｈは、略円形の横断面形状を有しており、第１貫通孔２Ｈの横断面の円形の中心を貫く中心軸ＣＡを有する。
【００２２】
Ｂ）  そして、ＰＥＴ素材等より成る、相対的に薄い合成樹脂層３が、ウレタン層２の裏面２ＲＳの全面上に接合・配設されている。ここでは、合成樹脂層３の厚みＴ２は例えば０．０５ｍｍである。この合成樹脂層３は、ウレタン層２の第１貫通孔２Ｈと同心の第２貫通孔３Ｈを有する。従って、第２貫通孔３Ｈの中心軸もまた、第１貫通孔２Ｈの中心軸ＣＡを共有する。第２貫通孔３Ｈの横断面形状は任意であると共に、横断面形状の寸法もまた任意である。要は、ウレタン層２の第１貫通孔２Ｈと合成樹脂層３の第２貫通孔３Ｈとは、喉頭摘出者向けＱＯＬ向上用装着器具１の使用時に、喉頭摘出者の気管孔の呼吸通路を形成するので、その様な呼吸通路を成すのに適した横断面の形状及び寸法を備えていれば良い。本例では、第２貫通孔３Ｈの横断面形状も略円形であり、当該横断面の径（直径乃至は半径。）は第１貫通孔２Ｈの径と等しい。ＰＥＴ素材等より成る合成樹脂層３は、その材質上、「すべすべ」した肌触りを呈する滑らかな表面を有する。従って、合成樹脂層３のウレタン層２との界面に対向する露出面３ＥＳは、「すべすべ」した肌触りを呈する表面であり、そのため、上記の皮膚用両面テープ５をそこに貼付し且つ貼付された上記皮膚用両面テープ５を剥がすのに適した表面である。
【００２３】
Ｃ）  更に、突出部４が、ウレタン層２の裏面２ＲＳに対向する表面２ＵＳの内の第１貫通孔２Ｈの周縁回りの部分（中央部分）上に突設されている。この突出部４は、後述するフィルタとして機能するスポンジ６が挿入された蓋部７を係止・支持する部分であり、そのために、第１貫通孔２Ｈと同心の（従って、中心軸ＣＡを共有する。）、同部４を貫通する第３貫通孔４Ｈを有する。この第３貫通孔４Ｈの孔内に、上記のスポンジ６が挿入された蓋部７の側面部が挿入されて係止・支持されることで、蓋部７が第３貫通孔４Ｈ内に配設されるのである。従って、第３貫通孔４Ｈは、第１貫通孔２Ｈ及び第２貫通孔３Ｈと共に、喉頭摘出者向けＱＯＬ向上用装着器具１の使用時に於ける気管孔の呼吸通路を成す。
その意味では、第３貫通孔４Ｈの横断面の形状及び寸法は任意であるが、本例では、第３貫通孔４Ｈの横断面の形状は略円形であり、その径は第１貫通孔２Ｈの横断面の径と等しく設定されている。その機能上、突出部４は、ウレタン層２と同一の柔らかい素材より構成されていても良い。勿論、突出部４は、ウレタン層２とは別部材（例えば、プラスチック等の合成樹脂材。）で構成されていても良い。そして、図１及び図３に模式的に示される様に、突出部４は、ウレタン層２の表面２ＵＳ上に接着等により接合される土台部分となるベース部分４ＢＰ、及び、ベース部分４ＢＰと繋がって立設している側面部の底部を成す突出した凸部４ＰＰを、その構成要素として、更に有している。この凸部４ＰＰの裏側部分は、溝状の凹部４ＲＰを成す。後述される通り、この溝状の凹部４ＲＰ内に、蓋部７の側面部の底部に於ける突出した凸部７ＰＰが挿入されて、当該凹部４ＲＰにより係止される。
【００２４】
Ｄ）  そして、喉頭摘出者向けＱＯＬ向上用装着器具１を喉頭摘出者の気管孔回りの皮膚の部分に装着するために、皮膚用両面テープ５が、上記ベース本体の合成樹脂層３の露出面３ＥＳの全面に、貼付される。この際、既述した通り、合成樹脂層３の露出面３ＥＳの、「すべすべ」の触感を呈する程の表面の滑らかさにより、皮膚用両面テープ５は、合成樹脂層３の露出面３ＥＳの全面に亘って、容易に、密着して貼付される。ここでも、図１及び図２に示される様に、皮膚用両面テープ５は、その中央部に、その中心軸が中心軸ＣＡと同軸となる第４貫通孔５Ｈを有する。本例では、便宜上、第４貫通孔５Ｈの横断面形状は略円形であり、第４貫通孔５Ｈの横断面の径は第１貫通孔２Ｈ及び第２貫通孔３Ｈの径と同一であるが、第４貫通孔５Ｈの横断面の形状及びその寸法は任意である。要は、皮膚用両面テープ５が合成樹脂層３の露出面３ＥＳの全面に貼付された後に、第４貫通孔５Ｈが第１貫通孔２Ｈ及び第２貫通孔３Ｈと共に、喉頭摘出者の気管孔の呼吸経路を成す様に、第４貫通孔５Ｈの横断面の形状及びその寸法は設定される。
【００２５】
喉頭摘出者向けＱＯＬ向上用装着器具１のベースは以上の構成を備えるので、当該器具１の使用時に際して、以下の作用・効果が得られる。即ち、ウレタン層２とＰＥＴ層等の合成樹脂層３とを備える上記ベースは、非常に柔らかくて柔軟性に富んでいる構造を有している。そのため、当該器具１を喉頭摘出者の気管孔回りの皮膚の部分に皮膚用両面テープ５を介して装着する際に、当該器具１は当該気管孔回りの皮膚の部分の凹凸に密着して貼付される。この当該器具１の気管孔回りの皮膚の部分の凹凸に対するフィット性により、気管孔から生じる痰等が皮膚用両面テープ５と皮膚の部分との隙間に入りにくくなって、比較的に長期に亘って、当該器具１を当該気管孔回りの皮膚の部分に装着し続けることが出来、その意味で、当該フィット性は、当該器具１のコスト低減化に寄与し得る。
【００２６】
しかも、比較的長期の使用を通じて、気管孔から生じる痰等によって当該器具１の皮膚用両面テープ５が汚れて、その結果、上記フィット性の悪化により当該器具１が皮膚部分から剥がれやすくなっても、単に皮膚用両面テープ５を交換するだけで、当該器具１を、その清潔性を保持しつつ、容易に再利用することが出来る。この様に、気管孔から生じる痰等による汚れによっても、交換する部材は比較的安価な皮膚用両面テープ５だけであり、皮膚用両面テープ５を除いた上記ベース本体は交換することなく何度もそのまま使用することが出来るので、当該器具１のコスト低減化が格段に促進される。上記の通り、その際の皮膚用両面テープ５の交換作業も、容易な作業である。
【００２７】
しかも、本実施の形態に於いては、図２に示される様に、合成樹脂層３の露出面３ＥＳに密着状態で貼付されている皮膚用両面テープ５を剥がし易くする観点から、皮膚用両面テープ５は、第４貫通孔５Ｈが形成されている部分以外の場所に形成された、皮膚用両面テープ５を貫通する開口部（切り欠き部）５ＰＨを有している。このため、喉頭摘出者は、当該器具１の皮膚用両面テープ５の交換に際して、工作道具等の小道具を用いて、皮膚用両面テープ５の開口部５ＰＨの部分から当該テープ５を浮き上がらすことで、容易に、密着した皮膚用両面テープ５を当該器具１の上記ベース本体から剥がすことが出来る。この開口部５ＰＨの形状・寸法及び数は任意である。図２に示される開口部（切り欠き部）５ＰＨは一例である。
【００２８】
Ｅ）  又、喉頭摘出者向けＱＯＬ向上用装着器具１は、突出部４の第３貫通孔４Ｈ内に挿入されるスポンジ６を有している。このスポンジ６は、気管孔の呼吸経路を成す、多くの通気孔を備える部分ではあるが、個々の通気孔は相対的に微小な寸法を有するので、スポンジ６は、ウィルス又は細菌等の病原菌等の身体の健康を害する要因、或いは、乾燥した空気、湿った空気、高温の空気、冷気と言った気管孔内の健康状態に影響を及ぼし得る要因が、外界から気管孔内へ侵入するのを防止するフィルタとしての機能をも奏し得る。スポンジ６の横断面形状及び寸法は、第３貫通孔４Ｈの横断面形状及び寸法、並びに、後述する蓋部７の中空空間の横断面形状及び寸法に応じて、設定される。本例では、第３貫通孔４Ｈの横断面形状は略円形であり、且つ、蓋部７の上記中空空間の横断面形状も略円形であるので、スポンジ６の横断面形状も略円形であり、スポンジ６の横断面の円の径は蓋部７の上記中空空間の径に等しい。但し、スポンジ６の厚み乃至は高さは任意であり、蓋部７の上記中空空間の高さに等しくても良いし、当該高さよりも小さくても良い。
【００２９】
ところで、喉頭摘出者は、時々、むせて咳き込むので、その場合、気管孔より吐き出される空気の圧力によって、単に第３貫通孔４Ｈ内乃至は上記中空空間内に挿入配設されているだけのスポンジ６は、外へ押し出されてしまいかねない。
【００３０】
Ｆ）  そこで、喉頭摘出者向けＱＯＬ向上用装着器具１は、以下の構成を有する蓋部７を更に備えている。即ち、蓋部７は、１）突出部４の第３貫通孔４Ｈ内に挿入されて第３貫通孔４Ｈ内で嵌合状態で固設される側面部と、２）上記側面部に繋がった底部側部分７ＢＰと、３）底部側部分７ＢＰに配設された少なくとも一つの通気孔７ＨＢと、４）上記側面部に繋がっており且つ底部側部分７ＢＰに対向する上面部７ＵＰとを、有する。更に、蓋部７は、５）上面部７ＵＰに配設されており且つ第１貫通孔２Ｈと同心の貫通孔７ＨＡと、６）上記側面部、底部側部分７ＢＰ及び上面部７ＵＰにより形成されると共に第１貫通孔２Ｈと同心の中空空間とを、有する。上記の構成に於いて、蓋部７の上記側面部が突出部４の第３貫通孔４Ｈ内に挿入されると、上記側面部の底部側に配設されている突出形状の凸部７ＰＰは、図１に示される様に、突出部４の溝状の凹部４ＲＰ内に嵌合される。これにより、上記の通り、蓋部７の上記側面部は、突出部４の第３貫通孔４Ｈ内に、嵌挿状態で固設ないしは支持されることとなり、以って、蓋部７は突出部４に不動状態で装着され得る。斯かる支持・装着状態に於いては、喉頭摘出者の気管孔より吐き出される空気の圧力によって、蓋部７が外へ押し出されることはなく、不動状態を保つ。そして、蓋部７は、上面部７ＵＳに、同部７ＵＳを貫通する態様で配設されている、スポンジ６の横断面形状の径よりも小さな径を有する貫通孔７ＨＡを、有する。この貫通孔７ＨＡも、蓋部７が突出部４の第３貫通孔４Ｈ内に取り付けられた状態に於いては、第１貫通孔２Ｈの中心軸ＣＡと同一の中心軸を有する、第１貫通孔２Ｈと同心の貫通孔である。図１及び図３に於いて、蓋部７の底部側部分７ＢＰには、複数個の通気孔７ＨＢが配設されている。本例では、通気孔７ＨＢの数は、中心部の１個と、その周辺に位置する６個との総計７個であるが、少なくも１個であれば良い。この底部側部分７ＢＰの上面に、上記中空空間内に挿入されて閉じ込められたスポンジ６の底面が接することとなる。従って、スポンジ６は、底部側部分７ＢＰにより支持されることとなり、底部側部分７ＢＰの下方側へ落下することは無い。
【００３１】
蓋部７は、この様な構造を有するので、次の作用・効果を奏する。即ち、蓋部７は、１）気管孔より吐き出される空気の圧力によって外へ押し出されようとするスポンジ６をなおも蓋部７の上記中空空間内に留めさせるスポンジ６の支持部機能を呈すると共に、２）痰等によって汚れて詰まった状態のスポンジ６を簡単に取り出して洗浄した後に、再び、洗浄後のスポンジ６を元の状態に戻すことが出来る機能をも呈する。後者の場合、喉頭摘出者は、汚れて詰まった状態のスポンジ６を、ピンセットの様な小道具を用いて、蓋部７の貫通孔７ＨＡより容易に取り出すことが出来る。そして、喉頭摘出者は、取り出したスポンジ６を水等で洗浄した上で、その後、痰等が詰まっていない清潔となったスポンジ６を、上記の小道具を用いて、貫通孔７ＨＡを介して、再び、蓋部７の上記中空空間内に容易に配置させることが出来る。その結果、喉頭摘出者は、フィルタ機能を呈するスポンジ６を何度も継続使用することが出来る。その点に鑑みると、蓋部７は、本器具１のより一層のコスト低減化に寄与し得る。
【００３２】
気管食道シャント法以外の発声方法を用いている喉頭摘出者は、喉頭摘出者向けＱＯＬ向上用装着器具１を、上記の通り、自己の気管孔の周りの皮膚部分に、当該気管孔を覆う様に、密着して装着することが出来る。これにより、当該喉頭摘出者は、本器具１の貫通孔７ＨＡ、スポンジ６、第３貫通孔４Ｈ、第１貫通孔２Ｈ、第２貫通孔３Ｈ及び第４貫通孔５Ｈにより形成される呼吸経路を介して、気管孔で呼吸を行うこととなる。その結果、当該喉頭摘出者の気管孔及び肺に続く気道は、本器具１によって、加温、加湿、及び、ウィルス等の病原菌に対して、より良好な状態で保護され得る。しかも、既述の通り、本器具１を維持するためのコストは相対的に低く、当該喉頭摘出者の経済的負担は格段に軽減化される。
【００３３】
そして、本器具１を装着した当該喉頭摘出者は、指で、蓋部７の貫通孔７ＨＡを塞ぐことで、水分が気管孔内に侵入するのを有効に防止することが出来る。従って、当該喉頭摘出者は、蓋部７の貫通孔７ＨＡを指で塞ぐ動作を通じて、シャワーを用いて、身体を洗浄し、或いは、髪の毛を洗うことが出来ることとなって、日々の生活を快適に過ごすことが可能となる。即ち、気管食道シャント法以外の発声方法を用いている喉頭摘出者のＱＯＬは、格段に改善・向上されることとなる。
【００３４】
この場合、喉頭摘出者は、図４に示す様な、折れ曲がった中空のパイプ部８をオプションとして利用することで、指で貫通孔７ＨＡを塞ぐ動作を不要としつつ、シャワーによる洗髪等を快適に行うことが出来る。この場合、気管食道シャント法以外の発声方法を用いている喉頭摘出者のＱＯＬは、より一層に、向上されることとなる。図４に示される通り、パイプ部８の中空間８Ｓは、パイプ部８の一端側部が突出部４の第３貫通孔４Ｈ内に挿入されることでパイプ部８が突出部４に装着可能となる内径Ｄを有する。そして、パイプ部８の一端部に於ける突出部分８ＰＰは、パイプ部８の一端側部の第３貫通孔４Ｈ内への挿入時に、第３貫通孔４Ｈの溝状の凹部４ＲＰ内に挿入ないしは嵌合されて係止・支持される。
【００３５】
以上の通り、本実施の形態に係る喉頭摘出者向けＱＯＬ向上用装着器具１は、実用に適したコストパーフォーマンスを発揮することで、気管食道シャント法以外の発声方法を用いて日々の生活を過ごしている喉頭摘出者の経済的負担を軽減して、当該喉頭摘出者の気管孔を保護しつつ、日々の生活の質の格段の向上を実現することが出来る。
【００３６】
（付記）
以上、本考案の実施の形態を詳細に開示し記述したが、以上の記述は本考案の適用可能な局面を例示したものであって、本考案はこれに限定されるものではない。即ち、記述した局面に対する様々な修正及び／又は変形例を、この考案の範囲から逸脱することの無い範囲内で考えることが可能である。
【産業上の利用可能性】
【００３７】
本考案は、例えば、気管食道シャント法以外の発声方法を用いて日々の生活を過ごしている喉頭摘出者の気管孔の周囲に装着可能なＱＯＬ向上用装着器具に適用して好適である。
【符号の説明】
【００３８】
１  喉頭摘出者向けＱＯＬ向上用装着器具
２  ウレタン層
３  合成樹脂層（ＰＥＴ層）
４  突出部
５  皮膚用両面テープ
６  スポンジ
７  蓋部
８  中空のパイプ部
【図１】
0003198913.tif 000003
【図２】
0003198913.tif 000004
【図３】
0003198913.tif 000005
【図４】
0003198913.tif 000006